(57)【要約】【課題】  刃ヘッド部がグリップ部に対して変位自在に連結するとともに、刃ヘッド部とグリップ部との間の連結機構部分のブラシ掃除や水洗いの容易性や、設計の自由度が確保された電気かみそりを提供する。【解決手段】  ネット状の外刃３及び該外刃３に摺動する内刃４を有する刃ヘッド部１と、内刃４駆動用の電源部９を内蔵するグリップ部２とを備え、グリップ部２から突出する複数のアーム１１を介して該グリップ部２と刃ヘッド部１とを所定間隔を隔てた位置に変位自在に連結させるとともに、上記複数のアーム１１間には空間部Ｓを形成する。【選択図】        図１
2006255200.tif 000002
【特許請求の範囲】
【請求項１】
ネット状の外刃及び該外刃に摺動する内刃を有する刃ヘッド部と、内刃駆動用の電源部を内蔵するグリップ部とを備え、グリップ部から突出する複数のアームを介して該グリップ部と刃ヘッド部とを所定間隔を隔てた位置に変位自在に連結させるとともに、上記複数のアーム間には空間部を形成することを特徴とする電気かみそり。
【請求項２】
内刃を駆動させる為の駆動装置を刃ヘッド部に内蔵させるとともに、グリップ部に内蔵してある電源部と駆動装置とを電気的に接続させる配線を、アーム内に配することを特徴とする請求項１に記載の電気かみそり。
【請求項３】
上記複数のアームを、刃ヘッド部側に近くなるほど互いの距離が離れるように傾斜させて配することを特徴とする請求項１又は２に記載の電気かみそり。
【請求項４】
上記複数のアームが、それぞれ伸縮自在であることを特徴とする請求項１〜３のいずれか一項に記載の電気かみそり。
【請求項５】
上記複数のアームが、それぞれ進退自在にグリップ部と連結されるものであることを特徴とする請求項１〜４のいずれか一項に記載の電気かみそり。
【請求項６】
上記複数のアームが、それぞれ回動自在にグリップ部と連結されるものであることを特徴とする請求項１〜３のいずれか一項に記載の電気かみそり。
【請求項７】
上記複数のアームが、屈折することで伸縮自在となることを特徴とする請求項４に記載の電気かみそり。
【発明の詳細な説明】
【技術分野】
【０００１】
本発明は、外刃に対して内刃を摺動させることで髭等の体毛を切断する電気かみそりに関するものである。
【背景技術】
【０００２】
従来から、外刃及び内刃を有する刃ヘッド部を、グリップ部に変位自在に連結させて成る電気かみそりが知られているが、このような構造の電気かみそりにあっては、刃ヘッド部とグリップ部との間の連結機構部分に髭屑やごみが溜まり易く、しかも一旦溜まると掃除し難いという問題があった。
【０００３】
上記問題に対して、刃ヘッド部とグリップ部との連結機構部分の左右両側に空間部を設けておくことで、刃ヘッド部とグリップ部との間に髭屑やごみが入ってもこれをブラシ掃除し易くすることも提案されている（特許文献１参照）。しかし、刃ヘッド部とグリップ部とは近接して位置するものであり、連結機構部分もグリップ部のケース内に隠れる構造であるから、やはり掃除の容易性が充分に向上したものとは言えず、特に連結機構部分や刃ヘッド部の下面側をブラシ掃除や水洗いすることは困難であるという問題があった。また、上記の通り連結機構部分はグリップ部のケース内に隠れる構造であるから、該連結機構部分の形状や動作範囲はケース形状の制約を受けて設計の自由度が低いという問題もあった。
【特許文献１】特開２００３−２１０８７３号公報
【発明の開示】
【発明が解決しようとする課題】
【０００４】
本発明は上記問題点に鑑みて発明したものであって、刃ヘッド部がグリップ部に対して変位自在に連結するとともに、刃ヘッド部とグリップ部との間の連結機構部分のブラシ掃除や水洗いの容易性や、連結機構部分の設計の自由度が確保された電気かみそりを提供することを課題とするものである。
【課題を解決するための手段】
【０００５】
上記課題を解決するために本発明に係る電気かみそりを、ネット状の外刃及び該外刃に摺動する内刃を有する刃ヘッド部と、内刃駆動用の電源部を内蔵するグリップ部とを備え、グリップ部から突出する複数のアームを介して該グリップ部と刃ヘッド部とを所定間隔を隔てた位置に変位自在に連結させるとともに、上記複数のアーム間には空間部を形成することを特徴としたものとする。
【０００６】
このように、所定間隔を介して位置する刃ヘッド部とグリップ部との間に配される複数のアーム間に空間部を形成することで、刃ヘッド部の下面側やアーム部分のブラシ掃除や水洗いが非常に容易になるとともに、刃ヘッド部が大きな動作範囲で変位動作を行うことが可能になる。加えて、このアームがヘッド部とグリップ部の間に露出する構成であることから、アーム部分の設計の自由度が確保されるものである。
【０００７】
上記構成の電気かみそりにあっては、内刃を駆動させる為の駆動装置を刃ヘッド部に内蔵させるとともに、グリップ部に内蔵してある電源部と駆動装置とを電気的に接続させる配線を、アーム内に配することが好適である。
【０００８】
また、上記複数のアームを、刃ヘッド部側に近くなるほど互いの距離が離れるように傾斜させて配することも好適であり、このように傾斜させることで、刃ヘッド部側の支持部間幅を大きく設けて刃ヘッド部を安定的に支持するとともに、グリップ部側は支持部間幅を小さくして細型に形成することができる。
【０００９】
更に、上記複数のアームが、それぞれ伸縮自在であることや、それぞれ進退自在にグリップ部と連結されるものであることも好適であるし、また、上記複数のアームが、それぞれ回動自在にグリップ部と連結されるものであることも好適である。いずれの場合においても、複数のアームがそれぞれ伸縮や進退、回動することで刃ヘッド部を上下動や左右揺動させることが可能である。特にアームが回動する構成にあっては、グリップ部側の支持部間幅を最も小さくできるので髭屑等が溜まり難く、また、溜まってもアームの回動により掻き出され易いものとなる。
【００１０】
なお、上記複数のアームが伸縮自在である場合に、屈折することで伸縮自在となることも好適である。この場合には刃ヘッド部を大きく変位させることが可能となる。
【発明の効果】
【００１１】
本発明は、刃ヘッド部がグリップ部に対して変位自在に連結するとともに、刃ヘッド部とグリップ部との間の連結機構部分のブラシ掃除や水洗いの容易性や、設計の自由度が確保されるという効果を奏する。
【発明を実施するための最良の形態】
【００１２】
以下、本発明を添付図面に示す実施形態に基いて説明する。図１〜図５には、本発明の実施形態における第１例の電動かみそりを示している。本例の電動かみそりは往復式電気かみそりであって、髭等の体毛を切断する為の刃ヘッド部１と、手で把持する為のグリップ部２とを具備している。刃ヘッド部１は、多数の刃孔を有するネット状の外刃３と、この外刃３の内面に押圧される内刃４と、内刃４を外刃３に対して摺動させる為の振動型リニアアクチュエータである駆動装置５と、これらを収納する箱型のヘッドケース６とで主体を構成している。また、グリップ部２は、通電のオンオフ等を操作する操作スイッチ７と、駆動回路８と、乾電池又は充電池である電源部９と、これらを収納するグリップケース１０とで主体を構成している。
【００１３】
ここで、本文中においては、グリップ部２の長手方向の両端のうち刃ヘッド部１に連結される側を「上」側、グリップ部２の他端側を「下」側とし、刃ヘッド部１内にて内刃４が摺動する方向を「左右」方向、前記上下方向及び左右方向と直交する方向を「前後」方向と定義する。
【００１４】
刃ヘッド１とグリップ部２とは、両者１，２の連結機構である一対のアーム１１を介在させることで、所定間隔を隔てて連結されている。上記アーム１１は、グリップケース１０の上端部から外側斜め上方へと向けて突設される筒状の基台部１２と、基台部１２先端面の連通孔１３から一部を突出させた状態で該基台部１２内に進退自在に嵌合される支持部材１４とで形成している。支持部材１４は、図５に示すように前後一対の棒状のヘッド支持部１５の下端部同士を連結部１６で連結させて成る側面視コ字状の部材であり、一対のヘッド支持部１５の先端にはそれぞれ連結孔１７として左右方向に長尺の長孔２４を、同軸上に開口するように穿設している。また、支持部材１４の連結部１６の左右両側面にはリブ状のストッパ１８を突設するとともに、連結部１６の下端面には嵌合溝１９を凹設している。
【００１５】
支持部材１４は、連結部１６のストッパ１８を基台部１２内に位置させてヘッド支持部１５側を外部に突出させるように該基台部１２内に嵌合させたものであり、グリップケース１０内に突設してある係止壁２０と連結部１６の嵌合溝１９との間にフロートばね２１を圧縮状態で配している。グリップケース１０上端部から突設される左右一対の基台部１２は、刃ヘッド部１側に近くなる（つまりグリップ部２から離れる）程に互いの距離が離れるようにＶ字型に傾斜させたものである。そして、各基台部１２の軸方向に沿って上記支持部材１４がそれぞれ進退自在に配されて成る一対のアーム１１全体が、同様のＶ字型を成す構造になっている。
【００１６】
刃ヘッド部１のヘッドケース６の右側半部と左側半部には、それぞれ前後両面に円柱状の突起部２２を設けている。前後左右の都合４箇所に突設される突起部２２は、前後一対の突起部２２が同軸上に位置し、且つ左右方向に並設される突起部２２間の距離が、グリップ部２の上端部の左右方向の幅と同程度若しくはそれ以上となっている。ヘッドケース６の左右両側において、前後一対の突起部２２はそれぞれ支持部材１４の前後一対のヘッド支持部１５の長孔２４にスライド自在に嵌合し、これにより支持部材１４が刃ヘッド部１を下側から前後に挟み込む状態で支持している。
【００１７】
即ち、上記のように基台部１２に対して支持部材１４を進退自在に嵌合させることでアーム１１全体を伸縮自在に形成し、このように伸縮自在に形成される左右一対のアーム１１をＶ字を成すようにグリップ部２の上端部から突出させて設け、両アーム１１の先端に刃ヘッド部１を支持させた構造としているので、刃ヘッド部１とグリップ部２とで上下方向に挟まれる空間であり且つ両アーム１１で左右に挟まれる空間となる部分には、外部に向けて前後方向に開放される空間部Ｓが形成されるものである。空間部Ｓは、正面視において刃ヘッド部１に近い側ほど幅広となる逆三角形状に形成されている。
【００１８】
刃ヘッド部１内の駆動装置５に電力を供給する為に一端側を接続させた配線であるリード線２３の他端側は、ヘッドケース６内から外部に引き出された後に、中空を成す支持部材１４内にヘッド支持部１５側から挿通され、連結部１６のストッパ１８よりも下方の箇所から引き出されてグリップケース１０内にて駆動回路８に接続される。この接続により、電源部９から駆動回路８及びリード線２３を介して駆動装置５への電気的な接続がなされ、駆動装置５つまりは内刃４を往復駆動することが可能になっている。
【００１９】
図１及び図２には、刃ヘッド部１が基準位置にある状態、即ち外刃３を肌に押し付けておらず刃ヘッド部１が後述の上下動や左右揺動を行っていない状態を示している。この状態においては、アーム１１はこれを構成する基台部１２に対して支持部材１４がばね付勢されて斜め上方に突出するとともに、支持部材１４のストッパ１８が基台部１２内面の連通孔１３の開口縁部に係合してこれ以上の突出及び脱落を防止している。
【００２０】
上記基準位置にある刃ヘッド部１の外刃３の中央部分に肌を押し当てて図３に示すような下方に向けての外力Ｆを加えた場合には、両アーム１１の支持部材１４が付勢力に抗して基台部１２内に同程度だけ没入し、アーム１１全体が縮むこととなる。このとき左右両側の支持部材１４は下方に移動しながら互いに接近する方向に移動するものであり、両支持部材１４の長孔２４も互いに接近する方向に移動するが、刃ヘッド部１の突起部２２は長孔２４内を左右方向にスライドするので両者２２，２４の嵌合状態は維持されるものである。
【００２１】
また、上記基準位置にある刃ヘッド部１の外刃３の左右方向の一端部に肌を押し当てて図４に示すような下方に向けての外力Ｆを加えた場合には、肌を当てた側に近いアーム１１の支持部材１４のみが付勢力に抗して基台部１２内に没入してアーム１１全体を縮ませ、両アーム１１に支持される刃ヘッド部１は左右方向に揺動して傾いた姿勢となる。このときも、没入する側のヘッド支持部１５の長孔２４内を突起部２２がスライドして嵌合状態を維持するものである。
【００２２】
上記のように、一対のアーム１１がそれぞれ独立して伸縮自在であることで、両アーム１１が同程度縮む場合には刃ヘッド部１が上下動し、両アーム１１の一方のみが縮む場合は刃ヘッド部１が左右揺動するものであるが、両アーム１１が共に縮み、且つ互いの縮み量が相違する場合には、刃ヘッド部１が上下動と左右揺動とを組合わせた動きを生じることとなる。
【００２３】
そして、上下方向に所定間隔を介して位置する刃ヘッド部１とグリップ部２との間に配される上記一対のアーム１１間には、上記の通り、前後方向に開放される空間部Ｓが大きく形成されているので、刃ヘッド部１の下面側やアーム１１部分のブラシ掃除や水洗いが非常に容易であるとともに、刃ヘッド部１が大きな動作範囲で上下動や左右揺動を行うことが可能になっている。加えて、このアーム１１はグリップ部２のグリップケース１０内に収納されるといった構造ではなく刃ヘッド部１とグリップ部２の間の空間内に露出する構造であるから、アーム１１部分の設計の自由度が確保されている。これにより、本例にあってはアーム１１をグリップ部２の上端部からＶ字状に突設される形状に設計可能であって、上記のＶ字状とすることで刃ヘッド部１を安定的に支持することが可能になっているが、左右一対のアーム１１を略平行に形成してグリップ部２の上端部からＵ字状に突出する構造としても構わない。
【００２４】
次に、本発明の実施形態における第２例の電気かみそりについて図６に基づいて説明する。なお、本例の基本的構成は上記した第１例と同様であることから、第１例と一致する構成については同一符号を付して詳しい説明を省略し、第１例と相違する特徴的な構成についてのみ以下に詳述する。本例の支持部材１４は、ヘッド支持部１５と連結部１６とを屈曲自在なヒンジ部２５を介して連結させるとともに、ヘッド支持部１５の先端には連結孔１７として、刃ヘッド部１の円柱状の突起部２２が回動自在に嵌合する丸孔２６を穿設している。
【００２５】
即ち、本例のアーム１１は、基台部１２とこれに進退自在に嵌合する支持部材１４とで伸縮自在に形成されるとともに、進退自在な支持部材１４が屈曲自在に形成された構造である。そして、刃ヘッド部１の外刃３の中央部分に肌を当てて押し下げた場合には、両アーム１１の支持部材１４が基台部１２内に同程度だけ没入してアーム１１全体を縮ませ、刃ヘッド部１を上下動させることは第１例と同様である。このとき左右両側の支持部材１４は下方に移動しながら互いに接近する方向に移動するが、両支持部材１４のヒンジ部２５が左右方向の互いに離れる方向に屈曲することで、両支持部材１４のヘッド支持部１５の丸孔２６間の距離を一定に保持し、各丸孔２６と各突起部２２との嵌合状態を維持するものである。
【００２６】
また、刃ヘッド部１の外刃３の左右方向の一端部に肌を当てて押し下げた場合に、肌を当てた側に近いアーム１１のヘッド支持部１５のみが基台部１２内に没入してアーム１１全体を縮ませ、刃ヘッド部１を左右揺動させることも第１例と同様であるが、このときは左右両側の支持部材１４のヒンジ部２５の少なくとも一方が左右方向に屈曲することで、左右両側の支持部材１４の丸孔２６間の距離を一定に保持し、各丸孔２６と各突起部２２との嵌合状態を維持するものである。両アーム１１が共に縮み、且つ互いの縮み量が相違する場合には刃ヘッド部１が上下動と左右揺動とを組合わせた動作を生じることも第１例と同様であり、この場合にも、左右両側の支持部材１４のヒンジ部２５の少なくとも一方が左右方向に屈曲することで、左右の丸孔２６間の距離を一定に保持するものである。
【００２７】
次に、本発明の実施形態における第３例の電気かみそりについて図７〜図１１に基づいて説明する。なお、本例の基本的構成は上記した第１例と同様であることから、第１例と一致する構成については同一符号を付して詳しい説明を省略し、第１例と相違する特徴的な構成についてのみ以下に詳述する。本例のアーム１１は、左右一対の基台部１２自体をグリップ部２内に上下方向に進退自在に配するとともに、各基台部１２を突出方向に付勢するフロートばね２８をグリップ部２内に圧縮状態で配し、各基台部１２のグリップ部２内に位置する下端部の側面には、一定量以上の突出及び脱落を防止する為のストッパ２９を突設したものである。また、支持部材１４のヘッド支持部１５の先端には連結孔１７として、刃ヘッド部１の円柱状の突起部２２が回動自在に嵌合する丸孔２７を穿設している。
【００２８】
即ち、本例のアーム１１は、グリップ部２の上端部から上下方向に進退自在に突設される左右一対の基台部１２と、両基台部１２からＶ字状に（つまり刃ヘッド部１側に近付く程に互いの距離が離れる方向に）進退自在に突設される支持部材１４と、グリップ部２に対して各基台部１２を突出方向に付勢するフロートばね２８と、基台部１２の脱落を防止するストッパ２９と、各基台部１２に対して支持部材１４を突出方向に付勢するフロートばね２１と、各支持部材１４の脱落を防止するストッパ１８とで主体を構成するものである。
【００２９】
図８には、刃ヘッド部１が基準位置にある状態、即ち外刃３を肌に押し付けておらず刃ヘッド部１が上下動や左右揺動を行っていない状態を示している。上記基準位置にある刃ヘッド部１の外刃３の中央部分に肌を押し当てて図９に示すような下方に向けての外力Ｆを加えた場合には、両アーム１１の基台部１２が付勢力に抗してグリップ部２内に同程度だけ没入し、刃ヘッド部１を上下動させるものである。
【００３０】
また、上記基準位置にある刃ヘッド部１の外刃３の左右方向の一端部に肌を押し当てて図１０に示すような下方に向けての外力Ｆを加えた場合には、肌を当てた側に近いアーム１１のみが基台部１２を付勢力に抗してグリップ部２内に没入させ、両アーム１１に支持される刃ヘッド部１を左右方向に揺動して傾いた姿勢とする。このとき、没入する側のアーム１１の支持部材１４には、刃ヘッド部１の突起部２２を介して該支持部材１４を基台部１２内に後退させる力が働き、支持部材１４が基台部１２内に後退してアーム１１全体が縮むことで、左右一対の丸孔２７間の距離が一定に保持されて各丸孔２７と各突起部２２との嵌合状態、即ちアーム１１と刃ヘッド部１との連結状態が維持されるものである。
【００３１】
上記のように、一対のアーム１１がそれぞれグリップ部２に進退自在に連結されることで、両アーム１１が同程度進退する場合には刃ヘッド部１が上下動し、両アーム１１の一方のみが進退する場合は刃ヘッド部１が左右揺動する。そして、両アーム１１が進退し、且つ互いの進退量が相違する場合には、刃ヘッド部１が上下動と左右揺動とを組合わせた動作を生じるものである。
【００３２】
次に、本発明の実施形態における第４例の電気かみそりについて図１２、図１３に基づいて説明する。なお、本例の基本的構成は上記した第３例と同様であることから、第３例と一致する構成については同一符号を付して詳しい説明を省略し、第３例と相違する特徴的な構成についてのみ以下に詳述する。本例のアーム１１は、基台部１２と支持部材１４とを互いに変位不能に一体成形した構造のものであり、支持部材１４のヘッド支持部１５の先端にはそれぞれ刃ヘッド部１の突起部２２が嵌合する連結孔１７として、左右方向に長尺の長孔３０を穿設している。
【００３３】
したがって、図１２に示すような基準位置にある刃ヘッド部１の外刃３の中央部分に肌を押し当てると、両アーム１１全体がフロートばね２８の付勢力に抗してグリップ部２内に同程度だけ没入し、刃ヘッド部１を上下動させる。また、上記基準位置にある刃ヘッド部１の外刃３の左右方向の一端部に肌を押し当てた場合には、肌を当てた側に近いアーム１１のみが付勢力に抗してグリップ部２内に没入し、刃ヘッド部１を左右方向に揺動して傾いた姿勢にする。このとき、左右一対のアーム１１の長孔３０間の距離は大きくなるが、刃ヘッド部１の突起部２２が長孔３０内を左右方向にスライドすることで、各長孔３０と各突起部２２との嵌合状態、即ちアーム１１と刃ヘッド部１との連結状態は維持されるものである。
【００３４】
次に、本発明の実施形態における第５例の電気かみそりについて図１４〜図１８に基づいて説明する。なお、本例の基本的構成は上記した第１例と同様であることから、第１例と一致する構成については同一符号を付して詳しい説明を省略し、第１例と相違する特徴的な構成についてのみ以下に詳述する。
【００３５】
本例のアーム１１は、図１８に示すような前後一対の棒状のヘッド支持部３１の下端部同士を連結部３２で連結させて成る側面視コ字状の部材であり、一対のヘッド支持部３１の対向面の先端部分にはそれぞれ円柱状の突起部３３を設けるとともに、ヘッド支持部３１の中央部分にはそれぞれ後述のフロートばね３４係合用の係合孔３５を穿設している。また、連結部３２の前後両側面には回転中心となる円柱状の軸突部３６を突設している。
【００３６】
グリップ部２の外殻を成すグリップケース１０の上端には、左右一対のアーム１１の下端部を回動自在に支持する連結受部３７を凹設している。連結受部３７の左半部と右半部には、それぞれ前後内側面に軸孔３８を設けており、左右両半部において前後の軸孔３８内に各アーム１１の前後の軸突部３６をそれぞれ回動自在に嵌合させることで、左右一対のアーム１１を左右方向に回動自在にグリップ部２に連結させている。
【００３７】
刃ヘッド部１の外殻を成すヘッドケース６の左半部と右半部には、それぞれ前後両面に左右方向に長尺の長孔３９を開口させている。前後左右の都合４箇所に開口させてある長孔３９は、前後一対の長孔３９の開口方向が同軸上に位置し、且つ、左右一対の長孔３９間の隙間の左右方向の長さが、グリップ部２の連結受部３７に形成してある左右一対の軸孔３８間の左右方向の長さよりも大きくなるように形成している。
【００３８】
ヘッドケース６の左右両側において、前後一対の長孔３９にはそれぞれアーム１１の前後一対のヘッド支持部３１の突起部３３を左右方向にスライド自在に嵌合させており、これにより両アーム１１が刃ヘッド部１を下側から前後に挟み込む状態で支持している。両アーム１１間には、互いの係合孔３５に端部を係合させて引張状態としたフロートばね３４を介在させている。このフロートばね３４は、左右一対のアーム１１に対して互いの先端側を閉じる方向に付勢力を付与するものである。また、図中の符号４８は、各アーム１１の姿勢保持用の付勢力を付与する為にアーム１１とグリップ部２のグリップケース１０との間に配されるばねである。
【００３９】
図１５には、刃ヘッド部１が基準位置にある状態、即ち外刃３を肌に押し付けておらず刃ヘッド部１が上下動や左右揺動を行っていない状態を示している。この状態において、グリップケース１０上端部から突設される左右一対のアーム１１は、刃ヘッド部１側に近くなる（つまりグリップ部２から離れる）程に互いの距離が離れるようにＶ字型に傾斜した姿勢を維持するものであり、左右一対のアーム１１を上記Ｖ字を成す姿勢でグリップ部２の上端部から突出させて設けるとともに、両アーム１１の先端に刃ヘッド部１を支持させることで、刃ヘッド部１とグリップ部２との間であり且つ両アーム１１間となる部分には、外部に向けて前後方向に開放される空間部Ｓが形成されるものである。上記空間部Ｓは、正面視において刃ヘッド部１に近い側ほど幅広となる逆三角形状に形成されている。
【００４０】
刃ヘッド部１内の駆動装置５に電力を供給する為に一端側を接続させたリード線４０の他端側は、ヘッドケース６内から外部に引き出されるとともに中空を成すアーム１１内に挿通され、アーム１１内を通過して該アーム１１の下端部から引き出された後に、グリップケース１０の連結受部３７の底部に貫設してある挿通孔４１を介してグリップケース１０内に挿通され、グリップケース１０内にて駆動回路８に接続される。この接続により、電源部９から駆動回路８及びリード線４０を介して駆動装置５への電気的な接続がなされる。
【００４１】
上記基準位置にある刃ヘッド部１の外刃３の中央部分に肌を押し当てて図１６に示すような下方に向けての外力Ｆを加えた場合に、左右一対のアーム１１の突起部３３には、刃ヘッド部１の長孔３９内を左右方向の互いに離れる方向にスライドさせる力が働き、両アーム１１はフロートばね３４の付勢力に抗して先端側を開くように回動する。このとき、アーム１１の回転中心であり且つ該アーム１１とグリップ部２との連結箇所である軸突部３６と、アーム１１と刃ヘッド部１との連結箇所である突起部３３との間の上下距離が短縮され、刃ヘッド部１が下方（即ちグリップ部２と近付く方向）に移動するものである。
【００４２】
また、上記基準位置にある刃ヘッド部１の外刃３の左右方向の一端部に肌を押し当てて図１７に示すような下方に向けての外力Ｆを加えた場合には、肌を当てた側に近いアーム１１のみが、フロートばね３４の付勢力に抗して先端側を開く方向に回動し、両アーム１１に支持される刃ヘッド部１を左右方向に揺動して傾いた姿勢とする。
【００４３】
上記のように、左右一対のアーム１１の下端部をそれぞれ左右方向に回動自在にグリップ部２に連結させるとともに、両アーム１１の上端部を左右方向にスライド自在に刃ヘッド部１に連結させることで、両アーム１１を互いの先端が離れる方向又は近付く方向に同程度だけ回動した場合は刃ヘッド部１が上下動し、一方のアーム１１のみが回動した場合には刃ヘッド部１が左右揺動するものであるが、両アーム１１が共に回動し、且つ互いの回動量が相違する場合には刃ヘッド部１が上下動と左右揺動とを組合せた動作を行うこととなる。
【００４４】
なお、長孔３９は図１８（ｂ）、（ｃ）に示すような形状であってもよく、一対の長孔３９が、左右方向に互いに離れる側ほど上側に位置するように傾斜し、且つこの傾斜が大きい程に、刃ヘッド部１のフロート量即ち上下方向の移動量が大きくなるものである。
【００４５】
次に、本発明の実施形態における第６例の電気かみそりについて図１９、図２０に基づいて説明する。なお、本例の基本的構成は上記した第１例と同様であることから、第１例と一致する構成については同一符号を付して詳しい説明を省略し、第１例と相違する特徴的な構成についてのみ以下に詳述する。
【００４６】
本例の左右一対のアーム１１は、互いに離れる方向に（即ち、左右方向の両端側に向けて）「く」字状に屈折されたリンク形状を有するものであって、各アーム１１は、長手方向の一端４２ａ側がグリップ部２に回動自在に連結される下側支持部材４２と、長手方向の一端側４３ａが刃ヘッド部１に回動自在に連結される上側支持部材４３とを、両者４２，４３の他端４２ｂ，４３ｂ側で回動自在に連結させることで、正面視「く」字状に屈折自在に形成したものである。
【００４７】
刃ヘッド部１内の駆動装置５に電力を供給する為に一端側を接続させたリード線４９の他端側は、ヘッドケース６内から外部に引き出されるとともに中空を成すリンク状のアーム１１内に挿通され、上側支持部材４３及び下側支持部材４２内を通過して該下側支持部材４２の下端部から引き出された後に、グリップケース１０上端の連結受部４４の底部に貫設した挿通孔４５を介してグリップケース１０内に挿通され、グリップケース１０内にて駆動回路８に接続される。この接続により、電源部９から駆動回路８及びリード線４９を介して駆動装置５への電気的な接続がなされる。なお、上記連結受部４４は、左右一対のアーム１１の下側支持部材４２を左右方向に回動自在に支持する為にグリップケース１０上端部に凹設したものである。
【００４８】
各アーム１１の下側支持部材４２と上側支持部材４３との間には、圧縮状態のフロートばね４６を配している。このフロートばね４６は、下側支持部材４２及び上側支持部材４３の一端４２ａ，４３ａ側を離す方向（即ちリンク状を成すアーム１１を伸ばす方向）に付勢力を付与するものである。また、各アーム１１とグリップ部２のグリップケース１０との間には、アーム１１の姿勢を保持する為付勢力を付与する為のばね４７を配している。
【００４９】
図１９には、刃ヘッド部１が基準位置にある状態、即ち外刃３を肌に押し付けておらず刃ヘッド部１が上下動や左右揺動を行っていない状態を示している。この状態において、グリップケース１０上端部から突設される左右一対のアーム１１は、共に「く」字状を成す姿勢でグリップ部２と刃ヘッド部１との間の空隙に露出するとともに、刃ヘッド部１とグリップ部２との間であり且つ両アーム１１間となる部分には、外部に向けて前後方向に開放される空間部Ｓが形成されるものである。
【００５０】
上記基準位置にある刃ヘッド部１の外刃３の中央部分に肌を押し当てて図２０に示すような下方に向けての外力Ｆを加えた場合に、左右一対のアーム１１はフロートばね４６の付勢力に抗して、下側支持部材４２及び上側支持部材４３の一端４２ａ，４３ａ側を近付ける方向（即ちリンク状を成すアーム１１を縮ませる方向）に屈折する。また、上記基準位置にある刃ヘッド部１の外刃３の左右方向の一端部に肌を押し当てた場合には、肌を当てた側に近いアーム１１のみが大きく屈折して縮み、両アーム１１に支持される刃ヘッド部１を左右方向に揺動して傾いた姿勢とする。
【００５１】
上記のように、左右一対のアーム１１が「く」字状に同程度だけ屈折して上下方向に伸縮する場合には刃ヘッド部１が上下動し、一方のアーム１１のみが屈折して伸縮する場合には左右揺動するものであるが、両アーム１１が共に屈折して伸縮し、且つ互いの屈折量即ち伸縮量が相違する場合には刃ヘッド部１が上下動と左右揺動とを組合せた動作を行うこととなる。
【００５２】
なお、上記した各例においてはアーム１１を左右一対だけ備えた構造としているが、左右方向に３以上の複数配した構造であっても構わないし、また同様のアーム１１を前後方向に複数配することで刃ヘッド部１を上下動及び前後揺動自在に設けた構造であっても構わない。更に、同様のアーム１１を前後方向及び左右方向に複数配することで、刃ヘッド部１を上下動及び前後左右方向に揺動自在に設けてもよいものである。
【図面の簡単な説明】
【００５３】
【図１】本発明の実施形態における第１例の電気かみそりの正面図である。
【図２】同上の主要部の基準位置を示す一部断面図である。
【図３】同上の主要部の押下位置を示す一部断面図である。
【図４】同上の主要部の傾倒位置を示す一部断面図である。
【図５】同上の主要部の分解斜視図である。
【図６】本発明の実施形態における第２例の電気かみそりの主要部を示す一部断面図である。
【図７】本発明の実施形態における第３例の電気かみそりの正面図である。
【図８】同上の主要部の基準位置を示す一部断面図である。
【図９】同上の主要部の押下位置を示す一部断面図である。
【図１０】同上の主要部の傾倒位置を示す一部断面図である。
【図１１】同上の主要部の分解斜視図である。
【図１２】本発明の実施形態における第４例の電気かみそりの主要部を示す一部断面図である。
【図１３】同上の主要部の分解斜視図である。
【図１４】本発明の実施形態における第５例の電気かみそりの正面図である。
【図１５】同上の主要部の基準位置を示す一部断面図である。
【図１６】同上の主要部の押下位置を示す一部断面図である。
【図１７】同上の主要部の傾倒位置を示す一部断面図である。
【図１８】（ａ）は同上の主要部の分解斜視図であり、（ｂ）（ｃ）は長孔の他の形態を示す斜視図である。
【図１９】本発明の実施形態における第６例の電気かみそりの主要部の基準位置を示す一部断面図である。
【図２０】同上の主要部の押下位置を示す一部断面図である。
【符号の説明】
【００５４】
１  刃ヘッド部
２  グリップ部
３  外刃
４  内刃
５  駆動装置
９  電源部
１１  アーム
Ｓ  空間部
【図１】
2006255200.tif 000003
【図２】
2006255200.tif 000004
【図３】
2006255200.tif 000005
【図４】
2006255200.tif 000006
【図５】
2006255200.tif 000007
【図６】
2006255200.tif 000008
【図７】
2006255200.tif 000009
【図８】
2006255200.tif 000010
【図９】
2006255200.tif 000011
【図１０】
2006255200.tif 000012
【図１１】
2006255200.tif 000013
【図１２】
2006255200.tif 000014
【図１３】
2006255200.tif 000015
【図１４】
2006255200.tif 000016
【図１５】
2006255200.tif 000017
【図１６】
2006255200.tif 000018
【図１７】
2006255200.tif 000019
【図１８】
2006255200.tif 000020
【図１９】
2006255200.tif 000021
【図２０】
2006255200.tif 000022